(57)【要約】【課題】データプロジェクタやホームシアター用プロジェクタ等の液晶プロジェクタに使用される光源装置から生ずる振動騒音を低減させる。【解決手段】発光管２の中間部に形成された発光部内に互いに対向して配置された一対の電極に電力を供給するための給電用ワイヤ（５Ｒ、５Ｌ）が、気密に封止された発光管２の両端から夫々突出せられて、その突出部に取り付けたリード線（６Ｒ、６Ｌ）を介して電力供給線に接続される高圧放電ランプ１と、該ランプ１から放射される光を反射する凹面反射鏡７とを備えた光源装置において、前記リード線（６Ｒ、６Ｌ）の少なくとも一方が、強磁性体ではない材質、或いは、強磁性体と反磁性体又は常磁性体の合金を使用した、リード線で形成されていることを特徴とする。【選択図】図１
2010186656.tif 000002
【特許請求の範囲】
【請求項１】
発光管の中間部に形成された発光部内に互いに対向して配置された一対の電極に電力を供給するための給電用ワイヤが、気密に封止された発光管の両端から夫々突出せられて、その突出部に取り付けたリード線を介して電力供給線に接続される高圧放電ランプと、該ランプから放射される光を反射する凹面反射鏡とを備えた光源装置において、前記リード線の少なくとも一方が、常磁性或いは、反磁性の材質で形成されていることを特徴とする光源装置。
【請求項２】
前記高圧放電ランプの発光管の片端が、前記凹面反射鏡のボトム部に固定され、その発光管の他端から突出する給電用ワイヤの突出部に取り付けたリード線が、前記常磁性或いは、反磁性の材質で形成されている請求項１記載の光源装置。
【請求項３】
前記凹面反射鏡のボトム部に固定された発光管の片端から突出する給電用ワイヤの突出部に取り付けたリード線が、前記常磁性或いは、反磁性の材質で形成されている請求項２記載の光源装置。
【請求項４】
前記常磁性或いは、反磁性の材質で形成されるリード線が、前記凹面反射鏡に対して固定されることなく前記電力供給線と結線されている請求項１、２又は３記載の光源装置。
【請求項５】
発光管の中間部に形成された発光部内に互いに対向して配置された一対の電極に電力を供給するための給電用ワイヤが、気密に封止された発光管の両端から夫々突出せられて、その突出部に取り付けたリード線を介して電力供給線に接続される高圧放電ランプと、該ランプから放射される光を反射する凹面反射鏡とを備えた光源装置において、前記リード線の少なくとも一方が、常磁性或いは、反磁性の材質との合金で形成されていることを特徴とする光源装置。
【請求項６】
前記高圧放電ランプの発光管の片端が、前記凹面反射鏡のボトム部に固定され、その発光管の他端から突出する給電用ワイヤの突出部に取り付けたリード線が、前記常磁性或いは、反磁性の材質との合金で形成されている請求項５記載の光源装置。
【請求項７】
前記凹面反射鏡のボトム部に固定された発光管の片端から突出する給電用ワイヤの突出部に取り付けたリード線が、前記常磁性或いは、反磁性の材質との合金で形成されている請求項５記載の光源装置。
【請求項８】
前記常磁性或いは、反磁性の材質で形成されるリード線が、前記凹面反射鏡に対して固定されることなく前記電力供給線と結線されている請求項５、６又は７記載の光源装置。
【発明の詳細な説明】
【技術分野】
【０００１】
本発明は、液晶プロジェクタやファイバ照明機器等に使用される光源装置に関する。
【背景技術】
【０００２】
近年普及が目覚しいデータプロジェクタやホームシアター用プロジェクタ等の液晶プロジェクタに使用される光源装置は、図１に示すように、石英ガラス管で成る発光管２の中間部に形成された発光部３内に互いに対向して配置された一対のタングステン電極４Ｒ、４Ｌに電力を供給するための給電用ワイヤ５Ｒ、５Ｌが、気密に封止された発光管２の両端から夫々突出せられて、その突出部に取り付けたリード線６Ｒ、６Ｌを介して電力供給線に接続される高圧放電ランプ１と、該ランプ１から放射される光を反射してその光利用効率を高める凹面反射鏡７とを備えている。
【０００３】
また、高圧放電ランプ１は、発光管２の片端が、凹面反射鏡７のボトム部８にセメント等で固定され、その発光管２の他端から突出する給電用ワイヤ５Ｒの突出部に取り付けたリード線６Ｒが、凹面反射鏡７の反射部に貫設された配線用の小孔９を通じて凹面反射鏡７の背面側に引き出され、該反射鏡７の背面に固着されたＬ型の結線金具１０によってランプ電力を供給する電力供給線１１Ｒと結線されている。なお、結線金具１０は、凹面反射鏡７の背面側に引き出されたリード線６Ｒの端末と電力供給線１１Ｒの端末とをビス１２で締め止めて結線させる構成となっている。
【０００４】
また、給電用ワイヤ５Ｒ、５Ｌは、剛直性を有するモリブデンワイヤが用いられており、該ワイヤ５Ｒ、５Ｌに取り付けるリード線６Ｒ、６Ｌは、曲げ加工が自在なニッケル線が用いられている。また、一対のタングステン電極４Ｒ、４Ｌが対向して配置された発光管２の発光部３内には、水銀と、沃素あるいは臭素などのハロゲンと、アルゴンガスなどの希ガスとが封入され、発光管２の両端を気密に封止する封止部１３Ｒ、１３Ｌ内には、電極４Ｒ及び給電用ワイヤ５Ｒ間と、電極４Ｌ及び給電用ワイヤ５Ｌ間に介装させるモリブデン箔１４が夫々封着されている（特許文献１参照）。
【０００５】
上記の如く構成された光源装置を用いる液晶プロジェクタは、光源装置から放射される光が、例えば、赤外線カットフィルタで赤外線成分をカットされた後、集光レンズや偏光フィルタ等の光学系を経て、液晶パネルの動画像や静止画像を投射レンズで拡大してスクリーンに投影させる構造となっており、その機体となるハウジング内には、光源装置を冷却したり、光源装置からの放射熱によって加熱される液晶パネルや偏光フィルタ等を冷却するための冷却ファンが設置されている。
【０００６】
しかし、液晶プロジェクタ用の光源装置は、より明るい投影画像を得るために、より高出力の高圧放電ランプを開発することが要請されており、該ランプの高出力化に伴なって該ランプから放出される熱量も増大するので、それに応じて、液晶プロジェクタのハウジング内の温度上昇を抑制する冷却ファンの回転数を上昇させたり、ファンを大型化するなどして、送風量を増大させる必要があるが、そのようにすると、冷却ファンの動作音や風切り音などが、騒音と感じられるほど大きくなる。
【０００７】
そのため従来は、冷却ファンと、該冷却ファンで液晶プロジェクタのハウジング内に取り込まれる外気を浄化するエアフィルタとの相互位置関係に工夫を施して、冷却ファンの騒音を低減する発明（特許文献２参照）や、冷却ファンで液晶プロジェクタのハウジング内に取り込まれた外気を液晶パネル等の冷却に供してからハウジング外へ排出させる可動整流板の向きを可変することにより、冷却ファンの騒音が直接耳に伝わらないようにする発明（特許文献３参照）等が提案されていた。
【０００８】
しかし、最近は、液晶プロジェクタ用の冷却ファンとして、低騒音のシロッコファンやＤＣ軸流ファンが開発され、例えば動作音を落とす静音モードが搭載された冷却ファンは、１９ｄＢ〜２７ｄＢ程度の静音動作が可能であり、外部の音が遮断された会議室などの静かな室内であっても、その室内で話し声がしていれば、液晶プロジェクタの直ぐ傍まで耳を近づけない限りファンの動作音等が聞こえないから、冷却ファンの騒音が問題視されることは無くなりつつある。しかしながら、冷却ファンの低騒音化によって、今度は、これまで然程問題視されていなかった光源装置の高周波騒音が際立つようになり、特に、会議室などでのプレゼンテーション等に使用されるデータプロジェクタや、住宅の室内で映画鑑賞に使用されるホームシアター用プロジェクタ等の液晶プロジェクタは、そのハウジング内に設置された光源装置から生ずる高周波騒音が耳障りで不快なものと感じられることがある。
【０００９】
そこで本発明者らが、図１に示す光源装置の高周波騒音の発生源を突き止めたところ、その主たる発生源は、高圧放電ランプ１の発光管２の両端から突出した給電用ワイヤ５Ｒ、５Ｌに取り付けられているリード線６Ｒ、６Ｌであることが判明した。つまり、高圧放電ランプ１が交流点灯の場合ランプ１を点灯すると、リード線６Ｒ、６Ｌへ流れる電流の方向が変動することにより、リード線６Ｒ、６Ｌに働く電磁力の方向も変化する。その力の方向の変化により、リード線６Ｒ、６Ｌが高周波振動してその振動音であるジー音、ウー音等のうなり音が発生し、しかも、高圧放電ランプ１の給電用ワイヤ５Ｒに片端側を取り付けたリード線６Ｒの他端側が、凹面反射鏡７の背面側に固着した結線金具１０にビス１２で締め止められて、凹面反射鏡７に対して固定された状態となっているため、該反射鏡７が共振してリード線６Ｒの振動音が増幅されることが判った。
【００１０】
リード線６Ｒ、６Ｌに使用されている材質は、ニッケル線であり、耐熱、耐腐食、コストの面で優れているため、一般的に使用されている。しかし、ニッケルは、強磁性体のため、ランプ点灯時に働く電磁力の影響が大きく、振動音が増幅されやすい。
【先行技術文献】
【特許文献】
【００１１】
【特許文献１】特開２００７−４２４０９号公報
【特許文献２】特開平９−１３０７１３号公報
【特許文献３】特開平６−１４８５９０号公報
【発明の概要】
【発明が解決しようとする課題】
【００１２】
本発明は、高圧放電ランプの発光管の両端から突出せられた給電用ワイヤに取り付けられているリード線から生ずる騒音を低減して光源装置の静音化を図ることを技術的課題としている。
【課題を解決するための手段】
【００１３】
上記課題を解決するために、本発明は、発光管の中間部に形成された発光部内に互いに対向して配置された一対の電極に電力を供給するための給電用ワイヤが、気密に封止された発光管の両端から夫々突出せられて、その突出部に取り付けたリード線を介して電力供給線に接続される高圧放電ランプと、該ランプから放射される光を反射する凹面反射鏡とを備えた光源装置において、前記リード線の少なくとも一方が、強磁性体ではない材質、或いは、強磁性体と反磁性体又は常磁性体の合金を使用した、リード線で形成されていることを特徴とする。
【発明の効果】
【００１４】
本発明の光源装置は、高圧放電ランプの発光管の両端から突出する給電用ワイヤの突出部に取り付けたリード線の少なくとも一方が、強磁性体ではない材質、或いは、強磁性体と反磁性体又は常磁性体の合金を使用した、リード線で形成されており、図１の如く単線Ｓで成るリード線６Ｒ、６Ｌに使用し、ランプ点灯時に生ずる高周波振動の振幅が小さいので、その振動音も必然的に小さくなり、従来装置よりも低騒音化されるという優れた効果がある。
【図面の簡単な説明】
【００１５】
【図１】本発明に係る光源装置の一例及び、従来の光源装置を示す断面図
【発明を実施するための形態】
【００１６】
本発明に係る光源装置の最良の実施形態は、石英ガラス管で成る発光管の中間部に形成された発光部内に互いに対向して配置された一対のタングステン電極に電力を供給するための給電用ワイヤが、気密に封止された発光管の両端から夫々突出せられて、その突出部に取り付けたリード線を介して電力供給線に接続される高圧放電ランプと、該ランプから放射される光を反射する凹面反射鏡とを備えており、その高圧放電ランプは、発光管の片端が凹面反射鏡のボトム部に固定され、発光管の両端から突出する給電用ワイヤの突出部に取り付けたリード線の双方が、ニッケル、鉄などの強磁性体ではない、モリブデン線或いは、銅30%を含んだニッケル（モネル）線で形成されると共に、凹面反射鏡に対して固定されることなく電力供給線と結線されている。
【実施例】
【００１７】
図１は本発明に係る光源装置の一例を示す断面図である。
【００１８】
図１に示す光源装置は、高圧放電ランプ１の発光管２の片端が、凹面反射鏡７のボトム部８に固定され、その発光管２の片端から突出せられる給電用ワイヤ５Ｌの突出部に取り付けられたリード線６Ｌと、凹面反射鏡７の開口部側に配された発光管２の他端から突出せられる給電用ワイヤ５Ｒの突出部に取り付けられたリード線６Ｒとが、いずれも線径０．５ｍｍ程度のモリブデン線或いは、銅30%を含んだニッケル（モネル）線で形成されると共に、凹面反射鏡７に対して固定されることなく電力供給線１１Ｒ、１１Ｌと溶接して結線されている。
【００１９】
モリブデン線或いは、銅30%を含んだニッケル（モネル）線は、強磁性体のニッケル及び鉄線に比べてリード線に働く電磁力が小さいため、振動が小さくなるので、その振動音も必然的に小さくなる。
【００２０】
また、本発明者らが、図１の如く構成された光源装置を４機用意して、装置のリード線６Ｒ、６Ｌはニッケル線、鉄線、モリブデン線、モネル線で形成し、装置を夫々同型の液晶プロジェクタのハウジング内に設置して、当該各液晶プロジェクタから生ずる騒音を光源装置よりも冷却ファンに近い冷却ファンの排気口近傍に設置した騒音計によって計測したところ、次表１、２、３及び４に示すような計測結果が得られた。
【００２１】
すなわち、表１は、リード線６Ｒ、６Ｌがニッケル線で形成された図１の光源装置を設置した液晶プロジェクタから生ずる騒音の計測結果を示すグラフ、表２は、リード線６Ｒ、６Ｌが鉄線で形成された図１の光源装置を設置した液晶プロジェクタから生ずる騒音の計測結果を示すグラフ、表３は、リード線６Ｒ、６Ｌがモリブデン線で形成された図１の光源装置を設置した液晶プロジェクタから生ずる騒音の計測結果を示すグラフ、表４は、リード線６Ｒ、６Ｌがモネル線で形成された図１の光源装置を設置した液晶プロジェクタから生ずる騒音の計測結果を示すグラフであって、いずれのグラフも、実線の折れ線は、高圧放電ランプ１が点灯されて冷却ファンが稼動しているランプ点灯中に生ずる騒音の音圧レベルと周波数を表し、破線の折れ線は、冷却ファンのみを稼動させた時に生ずる騒音の音圧レベルと周波数を表している。
【００２２】
【表１】
2010186656.tif 000003
【００２３】
【表２】
2010186656.tif 000004
【００２４】
表１、表２によれば、リード線６Ｒ、６Ｌがニッケル線又は、鉄線で形成された図１の光源装置を設置した液晶プロジェクタは、高圧放電ランプ１の点灯中に生ずる騒音の高周波領域における音圧レベルが、高圧放電ランプ１を点灯せずに冷却ファンのみを稼動させた時に生ずる騒音の高周波領域における音圧レベルよりも高くなっている。
【００２５】
【表３】
2010186656.tif 000005
【００２６】
一方、表３によれば、リード線６Ｒ、６Ｌがモリブデン線で形成された図１の光源装置を設置した液晶プロジェクタは、高圧放電ランプ１を点灯中に生ずる騒音の音圧レベルと、高圧放電ランプ１を点灯せずに冷却ファンのみを稼動させた時に生ずる騒音の音圧レベルとが殆ど一致している。つまり、ランプの点灯中に生ずる騒音の音圧レベルは、ランプを点灯せずに冷却ファンのみを稼動させた時に生ずる騒音の音圧レベルと殆ど変わらない。
【００２７】
【表４】
2010186656.tif 000006
【００２８】
表４によれば、リード線６Ｒ、６Ｌがモネル線で形成された図１の光源装置を設置した液晶プロジェクタは、表１のニッケル線に比べ音圧レベルが小さくなっている。
【００２９】
表３は、高圧放電ランプ１を点灯中に生ずる騒音の音圧レベルと、高圧放電ランプ１を点灯せずに冷却ファンのみを稼動させた時に生ずる騒音の音圧レベルとが殆ど一致している。つまり、ランプの点灯中に生ずる騒音の音圧レベルは、ランプを点灯せずに冷却ファンのみを稼動させた時に生ずる騒音の音圧レベルと殆ど変わらない。このように、図１の光源装置に用いられているリード線６Ｒ、６Ｌを、ニッケル線で成るものから、モリブデン線で成るものに変更すれば、高圧放電ランプ１の点灯中に生ずる騒音の高周波領域における音圧レベルが大幅に低下する。
【００３０】
なお、本発明の実施例として示す図１の光源装置は、リード線６Ｒ、６Ｌの双方が、強磁性体ではないモリブデン線で形成され、振動騒音を低減する効果が最も優れているが、本発明は、これに限らず、リード線６Ｒ、６Ｌの一方が強磁性体ではないモリブデン線で形成され、他方が強磁性体であるリード線で形成されるものも包含される。また、強磁性体に強磁性体以外の金属合金で成るリード線６Ｒ、６Ｌは、強磁性体のリード線に比べて、振動騒音を低減させることができる。
【産業上の利用可能性】
【００３１】
本発明は、データプロジェクタやホームシアター用プロジェクタ等の液晶プロジェクタに使用される光源装置から生ずる振動騒音を低減して、液晶プロジェクタの静音化に資するものである。
【符号の説明】
【００３２】
１    高圧放電ランプ
２    発光管
３    発光部
４Ｒ  電極
４Ｌ  電極
５Ｒ  給電用ワイヤ
５Ｌ  給電用ワイヤ
６Ｒ  リード線
６Ｌ  リード線
７    凹面反射鏡
８    凹面反射鏡のボトム部
１１Ｒ  電力供給線
１１Ｌ  電力供給線
【図１】
2010186656.tif 000007